(57)【特許請求の範囲】
【請求項１】
デバイス依存のＲＧＢ値を取得する取得手段と、
デバイス依存のＲＧＢ値をデバイス非依存のＲＧＢ値に変換する第１の変換手段と、
変換後の前記ＲＧＢ値について、ＲＧＢの各値が第１の所定の信号値以上の値を白にする下地飛ばし処理を行う処理手段と、
前記下地飛ばし処理を行ったＲＧＢ値をＣＭＹＫ値に変換する第２の変換手段と、を有し、
前記第１の変換手段は、前記下地飛ばし処理の対象とならない変換前のＲＧＢ値であって、各値が第２の値以上である無彩色のＲＧＢ値は少なくとも、前記下地飛ばし処理の対象となるＲＧＢ値に変換し、前記下地飛ばし処理の対象とならない変換前のＲＧＢ値であって、各値が前記第２の値以上である所定の有彩色のＲＧＢ値は、前記下地飛ばし処理の対象となるＲＧＢ値に変換しないことを特徴とする情報処理装置。
【請求項２】
前記第１の変換手段は、３次元ルックアップテーブルを用いて変換を行い、前記処理手段は１次元ルックアップテーブルを用いて前記下地飛ばし処理を行うことを特徴とする請求項１に記載の情報処理装置。
【請求項３】
デバイス依存の信号値を取得する取得手段と、
デバイス依存の信号値をデバイス非依存の信号値に変換する変換手段と、
変換後の信号値に含まれる複数の構成値のそれぞれが第１の所定の値以上である信号値を白にする下地飛ばし処理を行う処理手段とを有し、
前記変換手段は、前記下地飛ばし処理の対象とならない変換前の信号値であって、各構成値が第２の値以上である無彩色の信号値は少なくとも、前記下地飛ばし処理の対象となる信号値に変換し、前記下地飛ばし処理の対象とならない変換前の信号値であって、各構成値が前記第２の値以上である所定の有彩色の信号値は、前記下地飛ばし処理の対象となる信号値に変換しないことを特徴とする情報処理装置。
【請求項４】
前記変換手段は、３次元ルックアップテーブルを用いて変換を行い、前記処理手段は１次元ルックアップテーブルを用いて前記下地飛ばし処理を行うことを特徴とする請求項３に記載の情報処理装置。
【請求項５】
前記変換手段は、各構成値が前記第２の値以上かつ等量の無彩色の信号値、及び、当該信号値の近傍の信号値を、前記下地飛ばし処理の対象となる信号値に変換することを特徴とする請求項３又は４に記載の情報処理装置。
【請求項６】
デバイス依存の信号値を取得する取得ステップと、
デバイス依存の信号値をデバイス非依存の信号値に変換する変換ステップと、
変換後の信号値に含まれる複数の構成値のそれぞれが第１の所定の値以上である信号値を白にする下地飛ばし処理を行う処理ステップとを有し、
前記変換ステップにおいて、前記下地飛ばし処理の対象とならない変換前の信号値であって、各構成値が第２の値以上である無彩色の信号値は少なくとも、前記下地飛ばし処理の対象となる信号値に変換し、前記下地飛ばし処理の対象とならない変換前の信号値であって、各構成値が前記第２の値以上である所定の有彩色の信号値は、前記下地飛ばし処理の対象となる信号値に変換しないことを特徴とする情報処理装置の制御方法。
【請求項７】
コンピュータに、
デバイス依存の信号値を取得する取得手順と、
デバイス依存の信号値をデバイス非依存の信号値に変換する変換手順と、
変換後の信号値に含まれる複数の構成値のそれぞれが第１の所定の値以上である信号値を白にする下地飛ばし処理を行う処理手順とを実行させ、
前記変換手順において、前記下地飛ばし処理の対象とならない変換前の信号値であって、各構成値が第２の値以上である無彩色の信号値は少なくとも、前記下地飛ばし処理の対象となる信号値に変換し、前記下地飛ばし処理の対象とならない変換前の信号値であって、各構成値が前記第２の値以上である所定の有彩色の信号値は、前記下地飛ばし処理の対象となる信号値に変換しない処理を前記コンピュータに実行させるためのプログラム。
【発明の詳細な説明】
【技術分野】
【０００１】
本発明は、情報処理装置とその制御方法、及びプログラムに関するものである。
【背景技術】
【０００２】
一般に、画像処理装置におけるコピー処理では、スキャナで読み取った原稿を忠実に再現させるため様々な画像処理が行われている。しかし、原稿の裏面の画像が写り込んでしまう裏写りは、忠実に再現されない方が好ましい画像である。また、新聞紙のように紙自体が白でない場合には、紙の色は忠実に再現されない方が好ましい画像となる。このように、スキャン画像上には不要な情報（以後、背景画像）も含まれている。そこで、この背景画像を除去するための機能として、下地飛ばしという代表的な機能がある。この下地飛ばしでは、各色の信号値に対して、１Ｄ−ＬＵＴを用いて所定の信号値以上を白にする変換を行う。このように、信号値を白に変換して、その信号が再現されなくなるようにすることを、以後、背景除去と表現する。ここで１Ｄ−ＬＵＴは、１次元のルックアップテーブルのことである。しかし、下地飛ばしを強めると、画像上のハイライトも除去されてしまうため、特許文献１では、画像内のハイライト領域を判定し、そのハイライト領域に対しては下地飛ばしを弱める画像処理手法が提案されている。
【先行技術文献】
【特許文献】
【０００３】
【特許文献１】特開２００８−５３１７号公報
【発明の概要】
【発明が解決しようとする課題】
【０００４】
しかしながら上述の技術では、カラーハイライトを再現させるためにカラーハイライト領域の判定情報が必須であり、その判定に応じて、画像内で、下地飛ばしのための１Ｄ−ＬＵＴを切り替える必要があった。
【０００５】
本発明の目的は、上記従来技術の課題を解決することにある。
【０００６】
本発明の特徴は、例えば原稿の裏移りなどの画像を除去しつつ、カラーハイライトを再現できる技術を提供することにある。
【課題を解決するための手段】
【０００７】
上記目的を達成するために本発明の一態様に係る情報処理装置は以下のような構成を備える。即ち、
デバイス依存のＲＧＢ値を取得する取得手段と、
デバイス依存のＲＧＢ値をデバイス非依存のＲＧＢ値に変換する第１の変換手段と、
変換後の前記ＲＧＢ値について、ＲＧＢの各値が第１の所定の信号値以上の値を白にする下地飛ばし処理を行う処理手段と、
前記下地飛ばし処理を行ったＲＧＢ値をＣＭＹＫ値に変換する第２の変換手段と、を有し、
前記第１の変換手段は、前記下地飛ばし処理の対象とならない変換前のＲＧＢ値であって、各値が第２の値以上である無彩色のＲＧＢ値は少なくとも、前記下地飛ばし処理の対象となるＲＧＢ値に変換し、前記下地飛ばし処理の対象とならない変換前のＲＧＢ値であって、各値が前記第２の値以上である所定の有彩色のＲＧＢ値は、前記下地飛ばし処理の対象となるＲＧＢ値に変換しないことを特徴とする。
【発明の効果】
【０００８】
本発明によれば、カラーハイライト領域かどうかの判定を必要とすることなく、例えば裏移りなどの画像を除去しつつカラーハイライトを再現できるという効果がある。
【０００９】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１０】
添付図面は明細書に含まれ、その一部を構成し、本発明の実施形態を示し、その記述と共に本発明の原理を説明するために用いられる。
【図１】本発明の実施形態に係る画像形成装置の構成を説明するブロック図。
【図２】一般的な画像形成装置の画像処理部による処理の詳細を説明するフローチャート。
【図３】実施形態に係る画像形成装置の画像処理部の処理の詳細を説明するフローチャート。
【図４】実施形態に係る３Ｄ−ＬＵＴと背景対策を説明する図。
【図５】実施形態において、３Ｄ−ＬＵＴと１Ｄ−ＬＵＴの両方を用いて背景対策をする利点を説明する図。
【図６】実施形態に係る画像形成装置の画像処理部による３Ｄ−ＬＵＴの生成方法を説明するフローチャート。
【図７】実施形態に係る３Ｄ−ＬＵＴのデータ構成を説明する図（Ａ）と、他の実施形態に係る３Ｄ−ＬＵＴのデータ構成を説明する図（Ｂ）。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
図１は、本発明の実施形態に係る画像形成装置１００の構成を説明するブロック図である。
【００１３】
図中、制御部１０１は、この画像形成装置１００の全体の動作を制御しており、画像形成装置１００による処理を制御する装置制御部１０２と画像データを最適化する画像処理部１０３とを含んでいる。制御部１０１は、ＣＰＵ１０５やＲＡＭ１０６を用いて、画像読取部１０８から画像データを取得したり、画像データを処理して記憶部１０７へ格納する。また、その画像データを、画像出力部１０９によりシート（記録媒体）に印刷したり、モニタなどの装置に出力できる。また制御部１０１に対しては、ポインティングデバイスやキーボードなどのＵＩ（User Interface）１０４より各種情報が通知され、画像処理部１０３は、その通知された情報に基づいて画像データを処理する。また或いは、ＵＩ１０４で設定された値は、装置制御部１０２により記憶部１０７に保存され、画像処理部１０３は、その保存された設定値を読み出して画像データを処理する。記憶部１０７は、この画像形成装置１００を制御するためのパラメータや、後述する実施形態に係る処理を実現するためのアプリケーションプログラム、ＯＳなどを格納している。
【００１４】
尚、図１に示す画像形成装置１００の構成は、最低限必要な構成であって、必要に応じてルータやファイヤウォール等のネットワークインタフェース等を追加しても良い。また、この画像形成装置１００に接続されたＰＣなどを追加してもよい。
【００１５】
図２は、一般的な画像形成装置の画像処理部による処理の詳細を説明するフローチャートである。ここでは背景画像に対する対策は実施していない。
【００１６】
Ｓ２０１において画像処理部は、画像読取部から取得した画像データに対して、入力色変換テーブル２０５を用いて、デバイス依存のＲＧＢ値をデバイス非依存のＲＧＢ値に変換する色変換処理を行う。この入力色変換テーブルは、３次元のＬＵＴ（ルックアップテーブル）（以後、３Ｄ−ＬＵＴ）である。次にＳ２０２に進み画像処理部は、１次元ルックアップテーブル（１Ｄ−ＬＵＴ）を用いて所定の信号値以上を白にする下地飛ばし処理を行う。次にＳ２０３に進み画像処理部は、出力色変換テーブル２０６を用いて、画像データのＲＧＢ値をトナーの色であるＣＭＹＫ値に変換する出力色変換処理を行う。そして最後にＳ２０４に進み画像処理部は、スクリーン処理や誤差拡散処理のような中間調処理を行う。
【００１７】
以上説明した処理は、コピーの際に最低限必要な画像処理であるが、この他にも像域判定処理やフィルタ処理など必要な処理を追加してもよい。
【００１８】
図３は、本発明の実施形態に係る画像形成装置１００の画像処理部１０３の処理の詳細を説明するフローチャートである。尚、この処理を実行するプログラムは記憶部１０７に記憶されており、実行時、そのプログラムはＲＡＭ１０６に展開され、ＣＰＵ１０５の制御の下に実行される事により、このフローチャートで示す処理が達成される。
【００１９】
ここでは実施形態に係る処理として、裏写りの裏面画像に対する対策を例に説明する。尚、Ｓ３０２〜Ｓ３０４の処理の流れは、上述した図２のＳ２０２〜Ｓ２０４の処理と基本的に同じであるため、以下、実施形態の特徴について説明する。
【００２０】
実施形態に係る画像処理部１０３は、Ｓ３０１において入力色変換を行う際に、背景対策色変換テーブル３０５を用いる。この３Ｄ−ＬＵＴ（３次元ルックアップテーブル）を使用して施す背景対策が、この実施形態の特徴である。
【００２１】
図４は、実施形態に係る３Ｄ−ＬＵＴ４０１と背景対策を説明する図である。
【００２２】
無彩軸４０２は、この３Ｄ−ＬＵＴ４０１の黒（ＢＷ）４０３から白（Ｗ）４０４を結ぶ線であり、この無彩軸４０２上には複数の格子点が配置されている。当然のことながら、この無彩軸４０２上だけでなく、３Ｄ−ＬＵＴ４０１全体を均等に分割した点に格子点が配置されている。
【００２３】
裏写り画像は、原稿の読み取り面に対して裏面の画像が写り込んだ画像であるため、裏写り画像を読み取ると、その色や形状がなまりやすい。つまり、裏写り画像の色は、無彩色に近付くという特徴がある。このため、裏写りを除去するためには、無彩色のハイライト（グレーハイライト）を除去する処理が有効である。
【００２４】
一方、無彩色でないハイライト（カラーハイライト）を除去しすぎると、例えば蛍光ペンや肌のハイライトが再現されない。このため、背景対策では、グレーハイライトを除去し、カラーハイライトはあまり除去しない処理が必要となる。
【００２５】
そこで、グレーハイライトを重点的に除去する方法として、３Ｄ−ＬＵＴ４０１の無彩軸４０２の格子点出力値を、敢えて明るめに設定する点が本実施形態の特徴である。無彩軸４０２上のハイライト部の格子点出力値を白に近づけることで、グレーハイライト付近の色が明るめの色に変換され、その後の下地飛ばし処理（Ｓ３０２）で白に変換される。このように、３Ｄ−ＬＵＴと１Ｄ−ＬＵＴとを組み合わせることにより、カラーハイライト部かどうかを判定することなく、グレーハイライトを重点的に除去して裏写りを除去することが可能となる。
【００２６】
図７（Ａ）は、実施形態に係る３Ｄ−ＬＵＴ４０１のデータ構成を説明する図である。尚、３Ｄ−ＬＵＴ生成方法の詳細は、図６のフローチャートを参照して後述する。
【００２７】
図７（Ａ）は、８ビットデータを扱う１６格子点の３Ｄ−ＬＵＴの入力値、出力値、背景対策をした際の出力値を示す３Ｄ−ＬＵＴ格子点データを示す。
【００２８】
図７（Ａ）は、無彩色格子点の一部は出力値が白となる３Ｄ−ＬＵＴのデータ構成の一例を示す。スキャン画像を忠実に再現する際の入力色変換に用いる３Ｄ−ＬＵＴでは、格子点Ｎｏ．１５（図４の格子点Ｗ４０４に相当する点）の入力値は（２５５，２５５，２５５）、出力値は（２５５，２５５，２５５）。無彩軸上の隣の格子点Ｎｏ．１４の入力値は（２３８，２３８，２３８）、出力値は（２３５，２３６，２３９）である。一方、裏写り対策の出力値では、通常は白ではない格子点Ｎｏ．１２〜Ｎｏ．１４の出力値を白にしている。このように図７（Ａ）の３Ｄ−ＬＵＴでは、無彩色格子点の入力信号値であって、白の格子点（Ｎｏ．１５）から所定数以内の格子点の入力信号値を白の出力信号値に変換している。ここでは、除去したい裏写りの信号値（２０４，２０４，２０４）に等しいか、それよりも白に近い入力信号値を白の出力信号値に変換している。
【００２９】
これにより、入力値が完全にＲＧＢ等量であるグレーハイライトは白になり、入力値がＲＧＢ等量でなくても、グレーハイライト付近の色は、色変換時に無彩軸上の格子点を使うため、読み取った画像よりも明るい色に変換される。
【００３０】
尚、図７（Ａ）では、裏写り対策の出力値は白となっているが、後段の１Ｄ−ＬＵＴが白に変換する閾値、例えば（２３０，２３０，２３０）以上の値であれば良い。
【００３１】
ここで、３Ｄ−ＬＵＴと１Ｄ−ＬＵＴの両方を用いて背景対策をする利点について図５を用いて説明する。
【００３２】
図５は、実施形態において、３Ｄ−ＬＵＴと１Ｄ−ＬＵＴの両方を用いて背景対策をする利点を説明する図である。ここでは色空間全体５０２に対して、画像処理後に白に変換される色空間５０１をグレーで表している。図５（Ａ）は、１Ｄ−ＬＵＴのみで裏写りを除去する場合を示し、図５（Ｂ）は、３Ｄ−ＬＵＴと１Ｄ−ＬＵＴの組み合わせで裏写りを除去する場合を表わしている。ここでは説明のために、除去したい裏写りの信号値は（２０４，２０４，２０４）以上であるとし、紙の白を、より白くするために除去すべき（下地飛ばしのための）信号値は（２３０，２３０，２３０）以上であるものとする。前者を裏写りレベル５０３、後者を紙白レベル５０５とする。
【００３３】
図５（Ａ）のように、１Ｄ−ＬＵＴのみで裏写りレベル５０３の信号値を除去するには、各色ともに裏写りレベル５０３以上の信号値を白にする必要がある。その結果、信号値が「２０４」以上のハイライトは全て白に変換されてしまい、カラーハイライトが除去されてしまう。
【００３４】
これに対して図５（Ｂ）のように、３Ｄ−ＬＵＴと１Ｄ−ＬＵＴの両方を用いる場合には、１Ｄ−ＬＵＴでの除去はあくまで紙白レベル５０５（２３０，２３０，２３０）に留める。図５（Ｂ）では、１Ｄ−ＬＵＴで白に変換される色空間５０４をグレーで表している。そして、紙白レベル５０５から裏写りレベル５０３までのグレーハイライト部分は、前述した３Ｄ−ＬＵＴ４０１を使用することにより、紙白レベル５０５以上に明るくなるよう色変換する。即ち、紙白レベル５０５から裏写りレベル５０３までのグレーハイライト部分（無彩軸上の格子点）５０６を色空間５０４の中に移動する。
【００３５】
その結果、図５（Ａ）の１Ｄ−ＬＵＴのみの裏写りを除去では除去されてしまった、紙白レベル５０５から裏写りレベル５０３までのグレーハイライト部分に含まれるカラーハイライト部分を残しつつ、グレーハイライトのみを白に変換できる。これにより、カラーハイライト部分を残して、裏写り画像だけを完全に除去することができる。
【００３６】
図６は、実施形態に係る画像形成装置１００の画像処理部１０３による３Ｄ−ＬＵＴの生成方法を説明するフローチャートである。尚、この処理を実行するプログラムは記憶部１０７に記憶されており、実行時、そのプログラムはＲＡＭ１０６に展開され、ＣＰＵ１０５の制御の下に実行される事により、このフローチャートで示す処理が達成される。また、この３Ｄ−ＬＵＴの生成は、画像形成装置１００から得られた信号値を用いて、不図示のＰＣ（パーソナルコンピュータ）などの外部装置で行われ、不図示の通信手段によって画像形成装置１００へ送られて記憶部１０７に保存されてもよい。この場合は、この３Ｄ−ＬＵＴ生成を実現する制御プログラムは、ＰＣ（不図示）の記憶部（不図示）に格納されており、ワークメモリにロードされて制御部によって実行される。
【００３７】
まずＳ６０１でＣＰＵ１０５は、画像を印刷したシート（用紙）の裏面を読み取って裏写り信号値６０８を取得する。この裏写り信号値６０８は、例えば、前述の裏写りレベル５０３に対応するＲＧＢ値である。この裏写りの程度は、用紙の紙厚や裏写り画像の濃さ、用紙を読み取る画像読取部１０８の種類によっても変わってくるため、裏写り信号値６０８の決め方の一例を説明する。
【００３８】
画像形成装置１００により、標準の用紙に最大濃度の色パッチを含むパッチ群を印刷する。そして、その印刷物のパッチが印刷されていない面（裏面）を表面として画像読取部１０８にその用紙を載置して、その裏面画像を読み取る。そして、その読み取って得られた画像信号から最大濃度の色パッチの裏に相当する箇所のＲＧＢ値を抽出し、それを裏写り信号値６０８とする。或いはその他のパッチ部からＲＧＢ値を抽出してもよい。または、一般的な雑誌や印刷物などを原稿として同様に裏写り信号値６０８を抽出してもよい。
【００３９】
こうしてＣＰＵ１０５はＳ６０１で、裏面画像の信号値として裏写り信号値６０８を取得するとＳ６０２に進みＣＰＵ１０５は、３Ｄ−ＬＵＴの格子点数を取得する。次にＳ６０３に進みＣＰＵ１０５は、Ｓ６０２で取得した３Ｄ−ＬＵＴの格子点数に基づいて、３Ｄ−ＬＵＴの１つの格子点入力値を算出する。
【００４０】
次にＳ６０４に進みＣＰＵ１０５は、その算出した格子点入力値が無彩軸４０２上の格子点かどうか判定する。ここで無彩軸４０２上の格子点でないと判定するとＳ６０７に進み、ＣＰＵ１０５は、３Ｄ−ＬＵＴの全ての格子点を処理したかどうかを判定する。全ての格子点を処理していないと判定するとＳ６０３に戻って、次の格子点の処理へ進む。また全ての格子点を処理していると判定すると、この処理を終了する。
【００４１】
Ｓ６０４で無彩軸４０２上の格子点であると判定したときはＳ６０５に進み、その格子点入力値が、Ｓ６０１で取得した裏面画像の信号値よりも大きい（より白に近い）かどうかを判定する。ここで裏面画像の信号値よりも大きいと判定した場合はＳ６０６に進み、その格子点の出力値を白に変換し、その更新した背景対策色変換テーブル３０５をＲＡＭ１０６のワークエリアに保存してＳ６０７へ進む。一方、Ｓ６０５で、その格子点入力値が、Ｓ６０１で取得した裏面画像の信号値より小さいと判定すると、格子点の出力値を変換することなくＳ６０７へ進む。
【００４２】
以上説明したようにして、裏写り信号値６０８を除去できる背景対策済みの３Ｄ−ＬＵＴを生成することができる。
【００４３】
上述した３Ｄ−ＬＵＴの生成方法が基本だが、その他さまざまな調整が可能である。
【００４４】
例えば裏写り信号値６０８が格子点入力値と離れている場合、例えば裏写り信号値６０８が（２１５，２１５，２１５）の場合を図７（Ｂ）に示す。このとき、格子Ｎｏ．１３〜１５のように、裏写り信号値６０８より明るい格子点の格子点出力値を白にするだけでなく、図７（Ｂ）の色付けたセル７０１のように、裏写り信号値６０８より暗い側の格子点の格子点出力値も明るめに調整する必要がある。
【００４５】
また裏写り信号値６０８が濃く、図５（Ｂ）の紙白レベル５０５と離れている場合は、無彩軸のみを調整しても裏写りを除去しにくい可能性がある。そこで、そのような場合は、無彩軸の周辺の格子点出力値も少し明るくすることにより、裏写りを確実に除去することができる。
【００４６】
また１Ｄ−ＬＵＴによる下地飛ばしレベルが固定値の場合は、裏写り信号値６０８を基にした３Ｄ−ＬＵＴを生成することが有効である。一方で、下地飛ばしレベルを自動判定する場合は、自動判定された下地飛ばしレベルに応じて３Ｄ−ＬＵＴを切り替えてもよい。例えば、自動判定された下地飛ばしレベルが固定値よりも暗い場合は、背景対策なしの通常の３Ｄ−ＬＵＴを使用し、下地飛ばしレベルが固定値よりも明るい値の場合は、裏写り対策ありの３Ｄ−ＬＵＴを使用するように切り替えても良い。但し、これらはあくまで一例であり、その他の切り替え方法でもよい。また、コピー時のモードとして、ＵＩ１０４でハイライト再現を重視するモードが選択された場合は、背景対策なしの３Ｄ−ＬＵＴを使用することも有効である。
【００４７】
ここまでは、３Ｄ−ＬＵＴは、予め生成されたパラメータを含むものとしてきたが、例えば３Ｄ−ＬＵＴを画像形成装置１００で自動生成する方法も考えられる。
【００４８】
即ち、画像形成装置１００の制御部１０１が裏写り信号値６０８を取得し、図６で示したフローチャートに従って３Ｄ−ＬＵＴを生成すればよい。
【００４９】
このときの裏写り信号値６０８の取得方法については、予め決められたチャートを生成しておき、裏写り信号値６０８を取得する箇所を設定しておく。或いは、画像読取部１０８で読み取って得られた画像データの裏写り領域を、ユーザがＵＩ１０４で指定することにより取得してもよい。これらはあくまで一例であり、その他の方法でも、裏写り信号値６０８を取得して３Ｄ−ＬＵＴを自動生成可能であればよい。
【００５０】
また裏写り信号値６０８に限らず、新聞紙の紙の色を背景画像の信号値として３Ｄ−ＬＵＴを作成してもよい。また或いは、その他の重点的に除去したいグレーハイライトの値を背景画像の信号値として３Ｄ−ＬＵＴを作成するようにしても良い。
【００５１】
以上説明したように本実施形態によれば、３Ｄ−ＬＵＴと１Ｄ−ＬＵＴとを組み合わせることで、カラーハイライトは除去することなく、裏写り画像のグレーハイライトを除去することができる。
【００５２】
尚、上記実施形態の画像処理装置は、例えば電子写真装置やインクジェットプリンタ、サーマルプリンタ等でもよく、本発明の主旨はプリンタの種類に限定されるものではない。また、印刷に用いる記録材は、トナーやインク等の記録剤であってもよく、本発明の主旨は記録材の種類に限定されるものではない。更に、印刷だけでなくデータを送信する際の画像処理としても本発明は有効である。
【００５３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５４】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００５５】
１００…画像処理装置、１０２…装置制御部、１０３…画像処理部、１０４…ＵＩ、１０５…ＣＰＵ、１０６…ＲＡＭ、１０７…記憶部、３０５…背景対策色変換テーブル
【図１】
0006633871.tif 000002
【図２】
0006633871.tif 000003
【図３】
0006633871.tif 000004
【図４】
0006633871.tif 000005
【図５】
0006633871.tif 000006
【図６】
0006633871.tif 000007
【図７】
0006633871.tif 000008